(57)【要約】【課題】表示画面を視認可能な状態において、テーブルとしての作業面の広さを確保する。【解決手段】ディスプレイ内蔵型テーブル（１）は、テーブル（２）と、テーブル（２）に対して着脱可能な表示ユニット（３）とを備えている。【選択図】図１
2015198673.tif 000002
【特許請求の範囲】
【請求項１】
テーブル本体と、
上記テーブル本体に対して着脱可能な表示ユニットとを備えることを特徴とするテーブル。
【請求項２】
上記テーブル本体は、
物体を載置可能な上面を有する載置部と、
上記載置部の内部に形成され、上記表示ユニットの表示画面を視認可能な状態で当該表示ユニットを収納できる収納部とを備えることを特徴とする請求項１に記載のテーブル。
【請求項３】
上記テーブル本体は、上記上面に形成され、上記表示ユニットを挿入可能な凹部をさらに備えることを特徴とする請求項２に記載のテーブル。
【請求項４】
上記テーブル本体は、上記上面の一部を構成する上面部材をさらに備え、
上記上面部材は、上記凹部に上記表示ユニットが挿入されていない状態において、当該凹部を塞ぐことが可能であり、上記凹部に挿入された表示ユニットを支えることができることを特徴とする請求項３に記載のテーブル。
【請求項５】
上記収納部から上記表示ユニットを取り出すための開口部が上記載置部の上面に形成されており、
上記開口部を上記表示ユニットが通過可能な位置まで当該表示ユニットを回転させる回転部材をさらに備えることを特徴とする請求項２に記載のテーブル。
【請求項６】
上記回転部材は、上記表示ユニットが上記載置部の下面側へ突出するように当該表示ユニットを回転させることにより、当該表示ユニットを上記通過可能な位置に配置することを特徴とする請求項５に記載のテーブル。
【請求項７】
上記載置部の内部に、互いに平行ではない一対のガイドレールが形成されており、
上記回転部材は、上記一対のガイドレールのそれぞれに沿って移動することにより回転することを特徴とする請求項６に記載のテーブル。
【請求項８】
上記表示ユニットおよび上記テーブル本体は、それぞれ通信装置を備え、通信可能に接続されていることを特徴とする請求項１〜７のいずれか１項に記載のテーブル。
【請求項９】
上記表示ユニットは、上記テーブル本体から電力の供給を受けるための接続部を備えることを特徴とする請求項１〜８のいずれか１項に記載のテーブル。
【発明の詳細な説明】
【技術分野】
【０００１】
本発明は、表示装置を備えたテーブル（または机）に関するものである。
【背景技術】
【０００２】
近年では、ＬＣＤ（液晶ディスプレイ：Liquid Crystal Display）、ＰＤＰ（プラズマディスプレイ:Plasma Display Panel）、または有機ＥＬ（Organic LED）などに代表される、薄型のＦＰＤ（フラットパネルディスプレイ：Flat Panel Display）が多くの目的に利用されている。
【０００３】
特許文献１では、薄型平面ディスプレイの表示面を、机の上部表面とほぼ同一平面となるように装備した事務机が開示されている。
【０００４】
特許文献２では、平面型のディスプレイとタブレットとを兼用する表示部が、机上テーブルと兼用された入出力装置が開示されている。
【０００５】
特許文献３では、ボード状の収納体にパソコン本体、液晶ディスプレイ、キーボード、などを収納し、ディスプレイの収納部に開閉可能なカバーを設けて、ディスプレイを起立させることが可能なボード型パソコンが開示されている。
【先行技術文献】
【特許文献】
【０００６】
【特許文献１】特開昭６１−１３５６０５号公報（１９８６年６月２３日公開）
【特許文献２】特開２０００−６６７６８号公報（２０００年３月３日公開）
【特許文献３】特開２００１−５１７５１号公報（２００１年２月２３日公開）
【発明の概要】
【発明が解決しようとする課題】
【０００７】
しかしながら、上記従来の構成では、表示装置を備えたテーブル（または机）を、ユーザがテーブル（または机）として利用するときに、ディスプレイを同時に利用したい場合に、自由度が低く、作業面が狭くなるなどの不便が生じるという問題がある。
【０００８】
具体的には、特許文献１に記載の事務机のユーザは、通常の机を使用する場合と同様に、椅子に座り脚部を机の下に入れた自然な姿勢のまま、表示面を使用することができるが、紙媒体の資料や文具などを同時に利用する場合には、表示面が隠れてしまう問題がある。
【０００９】
また、特許文献２の入出力装置では、ディスプレイ表示の切り替えや画面の保存のときに、ディスプレイ面とは別のスイッチの操作を要求するため、テーブルとして利用するためには配置制限があり、利便性に問題がある。
【００１０】
また、特許文献３のボード型パソコンでは、ディスプレイを利用するときに開口部が大きく開くため、テーブルとして利用できる作業面が狭くなる問題がある。
【００１１】
本発明は、上記の問題点を解決するためになされたもので、その目的は、表示画面を視認可能な状態において、テーブルとしての作業面の広さを確保することができる、表示装置を備えたテーブル（または机）を提供することである。
【課題を解決するための手段】
【００１２】
上記の課題を解決するために、本発明の一態様に係るテーブルは、テーブル本体と、上記テーブル本体に対して着脱可能な表示ユニットとを備えることを特徴としている。
【発明の効果】
【００１３】
本発明の一態様によれば、表示ユニットの表示画面をユーザが視認可能な位置に当該表示ユニットを配置することができ、テーブルとしての作業面の広さを確保することができる、という効果を奏する。
【図面の簡単な説明】
【００１４】
【図１】本発明の一実施形態に係るディスプレイ内蔵型テーブルテーブルの斜視図であり、テーブル本体から表示ユニットを取り出した状態を示す図である。
【図２】上記ディスプレイ内蔵型テーブルの要部構成を示すブロック図である。
【図３】上記ディスプレイ内蔵型テーブルの実施の形態の一例を示す斜視図であり、表示ユニットがテーブル本体に収納された状態を示す図である。
【図４】ディスプレイ内蔵型テーブルのある実施形態における、（ａ）表示ユニットの引き出し、（ｂ）表示ユニットの立てかけ、および（ｃ）表示ユニットの取り外し、の各動作を説明するための図である。
【図５】ディスプレイ内蔵型テーブルの別の実施形態における、（ａ）表示ユニットの回転、（ｂ）表示ユニットの引き上げ、および（ｃ）表示ユニットの取り外し、の各動作を説明するための図である。
【図６】ディスプレイ内蔵型テーブルのまた別の実施形態における、表示ユニットの回転と、押し上げの動作とを説明するための図である。
【発明を実施するための形態】
【００１５】
本発明に係るテーブルの実施の一形態について図１〜図６に基づいて説明すれば、以下のとおりである。ここでは、本発明の実施形態の一例として、ディスプレイ内蔵型テーブル１について説明する。なお、本発明の「テーブル」とは、物体を載置することが可能な台を意味し、机および作業台も「テーブル」の概念に含まれる。
【００１６】
〔ディスプレイ内蔵型テーブル１〕
図１は、ディスプレイ内蔵型テーブル１において、テーブル本体であるテーブル２から表示ユニット３を取り出した状態を示す斜視図である。図１に示すように、ディスプレイ内蔵型テーブル１は、テーブル（テーブル本体）２と、テーブル２に対して着脱可能な表示ユニット３とを備えている。
【００１７】
表示ユニット３は、タッチパネル操作を受け付ける入力・表示部である。図１に示す例では、テーブル２は、表示ユニット３を４つ収納することが可能であるが、テーブル２が備える表示ユニット３の個数は、特に限定されず、１つでも、４以外の複数でもよい。
【００１８】
テーブル２は、物体を載置可能な上面（載置部）２０２を有する天板（載置部）２ａおよび天板２ａを支える脚部２ｂを備えている。
【００１９】
天板２ａの内部には、表示ユニット３を保持するための表示ユニット着脱部（収納部、接続部）２８が形成されている。この表示ユニット着脱部２８は、表示ユニット３の表示画面を視認可能な状態で当該表示ユニット３を収納可能な中空の構造体（凹部）である。
【００２０】
天板２ａの一部は、透光性の部材であるトップガラス２０１によって形成されており、表示ユニット着脱部２８の上面の少なくとも一部はトップガラス２０１によって形成されている。そのため、表示ユニット３の表示画面を上にして表示ユニット着脱部２８に装着すると（図１手前左）、トップガラス２０１を通して上記表示画面をユーザが視認することが可能である。
【００２１】
トップガラス２０１は、透光性の部材であればよく、同様の機能を有する部材を、ガラス以外の透光性材質を用いて形成してもよい。
【００２２】
また、ディスプレイ内蔵型テーブル１には、表示ユニット着脱部２８から引き出した表示ユニット３をテーブル２の天板２ａ上に立てかけて保持できるように、天板２ａの上面２０２に凹部２９（図４参照）が形成されている。
【００２３】
表示ユニットが凹部２９に挿入されていないときには、当該凹部は上面部材２０５によって塞がれており、テーブル２の上面２０２は平らな状態を保っている。
【００２４】
テーブル２と表示ユニット３とは、それぞれ無線通信装置を備え、双方向の情報通信を行うことができる。そのため、表示ユニット３がテーブル２から取り出された状態においても、表示ユニット３は、その表示画面に表示する画像を示す画像データ（映像データ）をテーブル２から受信することができる。
【００２５】
次に、ディスプレイ内蔵型テーブル１を構成するテーブル２および表示ユニット３の要部について記載する。
【００２６】
〔ディスプレイ内蔵型テーブル１の構成〕
（テーブル２）
図２は、ディスプレイ内蔵型テーブル１の要部構成を示すブロック図である。図２に示すように、テーブル２は、受信部（通信装置）２１、送信部（通信装置）２２、記憶部２３、スピーカ２４、主制御部２５、電源部２６、表示ユニット検出部２７、および表示ユニット着脱部（収納部）２８を備えている。さらに主制御部２５には、表示ユニット制御部２５１が含まれている。
【００２７】
受信部２１は、表示ユニット３のタッチパネル３５に対するユーザの入力操作の位置を示すタッチパネル操作情報を表示ユニット３の送信部３１から受信し、表示ユニット制御部２５１に通知する。
【００２８】
送信部２２は、表示ユニット３の表示部３５１において表示する画像（静止画または動画）を示すデータ信号および表示部３５１を制御するための制御信号（例えば、クロック信号）を表示ユニット制御部２５１から取得し、これらの信号を表示ユニット３の受信部３２へ送信する。
【００２９】
なお、テーブル２と表示ユニット３とは、通信可能に接続されていればよく、その通信方法は無線通信に限定されず、有線通信であってもよい。
【００３０】
記憶部２３は、各種の設定情報、および表示ユニット３の表示部３５１において表示される画像データ等を記憶する不揮発性の記憶装置である。
【００３１】
スピーカ２４は、画像データに付随する音声を主制御部２５から取得して出力する音声出力装置である。
【００３２】
主制御部２５は、テーブル２が備える各部の機能を制御するものであり、表示ユニット制御部２５１を備えている。
【００３３】
表示ユニット制御部２５１は、上記タッチパネル操作情報が示す入力操作に基づいて、当該入力操作に対応する画像を示す画像データを記憶部２３から取得する。そして、表示ユニット制御部２５１は、当該画像を表示部３５１に表示するためのデータ信号および制御信号を生成し、送信部２２を介して表示ユニット３へ送信する。
【００３４】
なお、表示ユニット制御部２５１は、インターネット等の通信回線を介して、上記データ信号および制御信号を外部の装置（例えば、動画配信サーバ）から取得してもよい。また、放送を受信するためのチューナをテーブル２に設け、当該チューナで受信したデータ信号および制御信号を表示ユニット３へ送信してもよい。
【００３５】
電源部２６は、テーブル２に対して電力を供給するとともに、表示ユニット着脱部２８を介して表示ユニット３に電力を供給する。
【００３６】
表示ユニット着脱部２８は、表示ユニット３のテーブル接続部３６と電気的に接続可能な接続端子を備えており、テーブル２は、この接続端子を介して、表示ユニット３へ電力を供給することができる。
【００３７】
表示ユニット検出部２７は、表示ユニット着脱部２８に表示ユニット３が装着された場合に、その旨を示す表示ユニット装着情報を主制御部２５に通知する。主制御部２５は、表示ユニット３が表示ユニット着脱部２８に装着されている場合に、表示ユニット３へ送信する情報を、送信部２２ではなく、表示ユニット着脱部２８の接続端子を介して表示ユニット３へ送信してもよい。表示ユニット３から情報を受信する場合も同様である。
【００３８】
なお、図１において示した例では、本発明のテーブル２の天板２ａは、床に対して平行な形状であり、このような天板２ａの内部に表示ユニット３を保持する構成である。しかし、テーブル２における外形上の特徴（脚の数および形状、あるいは天板２ａの形状および大きさ）は、図１に示した例に限定されない。また、テーブル２の材質についても特に限定されず、木材、金属、樹脂など、テーブル２に適した材質を適宜組み合わせて（または単独で）用いればよい。
【００３９】
（表示ユニット３）
図２に示すように、表示ユニット３は、送信部（通信装置）３１、受信部（通信装置）３２、タッチパネル制御部３３、記憶部３４、タッチパネル３５、テーブル接続部３６、充電部３７を備えている。さらにタッチパネル３５は、表示部３５１と操作入力部３５２とを備えている。
【００４０】
表示ユニット３は無線通信装置としての受信部３２を備え、テーブル２に装着されている状態においても、テーブル２から取り出された状態においても、テーブル２から上記データ信号および制御信号を取得でき、当該データ信号が示す画像を表示部３５１に表示することができる。
【００４１】
受信部３２は、テーブル２の送信部２２から送信された上記データ信号および制御信号を受信し、タッチパネル制御部３３へ送る。
【００４２】
タッチパネル制御部３３は、取得した制御信号を用いて、上記データ信号が示す画像をタッチパネル３５の表示部３５１に表示する。
【００４３】
タッチパネル３５は、ユーザによるタッチパネル操作を受け付けるユーザインターフェースであり、表示部３５１および操作入力部３５２を備えている。
【００４４】
表示部３５１は、例えばＬＣＤ（液晶ディスプレイ：Liquid Crystal Display）、ＰＤＰ（プラズマディスプレイ:Plasma Display Panel）、または有機ＥＬ（Organic LED）などの、薄型フラットパネルディスプレイ（Flat Panel Display）が好ましい。
【００４５】
操作入力部３５２は、非接触でのタッチ操作入力も受け付けることが可能なものであり、例えば静電容量方式の入力パネルである。静電容量方式のタッチパネルでは、透明導電膜がコーティングされた入力パネルにおける、指の接触（または近接）による静電容量の変化により入力位置を検出する。上記入力パネルとしての操作入力部３５２は、表示部３５１の表示画面の前面に配置される。
【００４６】
また、タッチパネル３５を光センサ液晶として実現してもよい。この場合、光センサ液晶が備える複数の光センサが操作入力部３５２として機能する。
【００４７】
なお、表示ユニット３がテーブル２から取り外されたときに天板２ａに開口部が形成されないようにするために、テーブル２の天板２ａには図１に示すようにトップガラス２０１が設けられている。従って、タッチパネル３５に対して、ユーザは直接触れて操作することができないため、タッチパネル３５としては、非接触での操作入力も受け付けるタッチパネルであることが望ましい。
【００４８】
しかし、タッチパネル３５に直接触れて操作することを前提とするならば、タッチパネル３５として、抵抗膜方式、超音波表面弾性波方式、赤外線走査方式など、その他の方式のタッチパネルを用いてもよい。
【００４９】
操作入力部３５２に対する入力操作の位置を示すタッチパネル操作情報は、タッチパネル制御部３３へ送信される。
【００５０】
タッチパネル制御部３３は、操作入力部３５２からタッチパネル操作情報を取得し、送信部３１へ送る。
【００５１】
無線通信装置としての送信部３１は、上記タッチパネル操作情報をタッチパネル制御部３３から取得し、テーブル２の受信部２１へ送信する。
【００５２】
記憶部３４は、各種の設定情報、および表示部３５１において表示される画像データ等を記憶する不揮発性の記憶装置である。
【００５３】
テーブル接続部３６（接続部）は、表示ユニット着脱部２８に表示ユニット３が装着されるときに、表示ユニット着脱部２８の接続端子と接続される、表示ユニット３の側のインターフェースである。テーブル２と表示ユニット３とは、上記接続端子およびテーブル接続部３６を介して、電力供給、および各種情報の入出力を行うことができる。
【００５４】
テーブル接続部３６を介して表示ユニット３がテーブル２と連結しているとき、表示ユニット３はテーブル２から電力供給を受ける。供給された電力は、表示ユニット３における画像の表示、操作入力、情報の送受信、記憶など、電力によって機能する装置に対して供給される。また、テーブル２から供給された電力の一部は、充電部３７に蓄積される。表示ユニット３がテーブル２に装着されていないときには、充電部３７の電力が、表示ユニット３の各装置に対して供給される。
【００５５】
（変更例）
図２に示す例では、上記データ信号および制御信号は、テーブル２から表示ユニット３へ送信される構成となっているが、表示ユニット３が自ら上記データ信号および制御信号を生成または取得する構成としてもよい。
【００５６】
すなわち、表示ユニット３の記憶部３４に画像データが格納されており、表示ユニット３は、当該画像データを用いて表示部３５１に画像を表示してもよい。または、表示ユニット３は、インターネット等の通信回線を介して、上記データ信号および制御信号を外部の装置から取得してもよい。また、放送を受信するためのチューナをテーブル２に設け、当該チューナで受信したデータ信号および制御信号を用いて表示部３５１に画像を表示してもよい。
【００５７】
この構成では、表示ユニット３は、テーブル２とは独立した端末装置として機能することができる。この構成においても、電力については、テーブル２から供給可能であることが好ましい。表示ユニット３は充電部（バッテリー）３７を備えているが、蓄電容量には限りがあるため、長時間使用することを考慮すれば、テーブル２から電力の供給を受けることが好ましい。
【００５８】
〔ディスプレイ内蔵型テーブル１における表示ユニット３の移動動作〕
図３は、テーブル２および表示ユニット３の使用例を説明するための、ディスプレイ内蔵型テーブル１の斜視図である。図３のディスプレイ内蔵型テーブル１は、４つの表示ユニット３とテーブル２とで構成されている。
【００５９】
天板２ａの内部には、表示ユニット３を保持するための表示ユニット着脱部（収納部）２８が形成されている。この表示ユニット着脱部２８は、表示ユニット３の表示画面を視認可能な状態で当該表示ユニット３を収納可能な中空の構造体（凹部）であり、図３では、表示ユニット３が表示ユニット着脱部２８内に装着されている。
【００６０】
天板２ａの一部は、透光性の部材であるトップガラス２０１によって形成されており、表示ユニット着脱部２８の上面の少なくとも一部はトップガラス２０１によって形成されている。そのため、表示ユニット３の表示画面を上にして表示ユニット着脱部２８に装着すると、トップガラス２０１を通して上記表示画面をユーザが視認することが可能である。
【００６１】
天板２ａの上面２０２には、表示ユニット着脱部２８から移動させた表示ユニット３をテーブル２の天板２ａ上に保持するために凹部２９（図４参照）が形成されている。この凹部２９は、表示ユニット３を挿入しない状態では、図３に示すように、すべて上面部材２０５によって塞がれており、テーブル２の上面２０２は平らな状態を保っている。
【００６２】
以下では、図３のように表示ユニット着脱部２８に装着された表示ユニット３を、図１に示したようにテーブル２の天板２ａの上面２０２に立てた状態、もしくは表示ユニット３を立てた状態と同様な状態になるように、表示ユニット３を移動させる実施例を示す。
【００６３】
（実施例１）
図４は、ディスプレイ内蔵型テーブルのある実施形態における、（ａ）表示ユニットの引き出し、（ｂ）表示ユニットの立てかけ、および（ｃ）表示ユニットの取り外し、の各動作を説明するための図である。
【００６４】
図４では、表示ユニット３の動作を説明するために、テーブル２の天板２ａを図３に示したＡＢ面で切断した断面を矢印方向に見たときの断面を示している。
【００６５】
表示ユニット着脱部２８内に装着された表示ユニット３をユーザが水平方向に引き出すことによって、タッチパネル３５を上方に向けた状態の表示ユニット３を取り出すことができる。
【００６６】
表示ユニット着脱部２８内に装着された表示ユニット３をユーザが手前に引くときに、指先などを用いて表示ユニット３を保持するための十分な突出がないことが考えられる。この場合、表示ユニット着脱部２８が、例えば、表示ユニット３が表示ユニット着脱部２８の奥に弾性体を備え、この弾性体の応力を利用して（表示ユニット３を奥の方に少し押し込んでから手を放すなど）、表示ユニット３を図４の（ａ）に示したように表示ユニット３のユーザ側の一部が飛び出るようにしてもよい。あるいは、ユーザが表示ユニット３を表示ユニット着脱部２８から引き出す動作を補助するための任意の部材を、テーブル２、表示ユニット３が備えてもよい。
【００６７】
また、表示ユニット３の一部が表示ユニット着脱部２８から突出する構成とし、表示ユニット３にユーザの指がかかる箇所を形成し、そこを引っ張ると引き出しのように表示ユニット３を表示ユニット着脱部２８から完全に引き抜くことができるようにしてもよい。
【００６８】
次に、テーブル２の天板２ａの上面２０２にある上面部材２０５を開けて凹部２９を露出させる。
【００６９】
該凹部２９に表示ユニット３をタッチパネル３５がユーザの方を向くように差し込み、上面部材２０５を表示ユニット３の背面に向けて少し倒すことで、凹部２９に挿入された表示ユニット３を支えることができる（図４の（ｂ））。つまり、上面部材２０５は、凹部２９に表示ユニット３が挿入されていない状態において、凹部２９を塞ぐことが可能であり、凹部２９に挿入された表示ユニット３を支えることができる。
【００７０】
図４の（ｃ）に示すように、凹部２９に挿入されて立てかけられた表示ユニット３は上方へ引き抜くことで、凹部２９から抜き出されて、完全にテーブル２と接点を持たない状態とすることも可能である。
【００７１】
テーブル２と表示ユニット３とは、それぞれ無線通信装置を備え、双方向の情報通信を行うことができる。つまり、表示ユニット３およびテーブル本体２は、それぞれ通信装置（受信部２１、送信部２２、送信部３１、受信部３２）を備え、通信可能に接続されている。そのため、表示ユニット３がテーブル２から取り出された状態においても、表示ユニット３は、その表示画面に表示する画像を示す画像データ（映像データ）をテーブル２から受信することができる。
【００７２】
よって、本発明のディスプレイ内蔵型テーブル１では、表示ユニット３のタッチパネル３５をユーザが視認可能な位置に表示ユニット３を自在に配置することができるため、作業面である、テーブル２の天板２ａの上面２０２を広く確保することができる。
【００７３】
（実施例２）
図５は、ディスプレイ内蔵型テーブルの別の実施形態における、（ａ）表示ユニットの回転、（ｂ）表示ユニットの引き上げ、および（ｃ）表示ユニットの取り外し、の各動作を説明するための図である。
【００７４】
図５では、表示ユニット３の動作を説明するために、テーブル２の天板２ａを図３に示したＣＤ面で切断した断面を矢印方向に見たときの断面を示している。
【００７５】
回転部材２０４は、テーブル２の天板２ａの裏側に固定された部材であり、１つの回転軸を中心とした回転を行う。
【００７６】
表示ユニット３は表示ユニット着脱部２８に装着されているとき、回転部材２０４から容易に脱離しないように保持されているが、不可逆な固定ではなく着脱は可能である。
【００７７】
表示ユニット着脱部２８に表示ユニット３が装着されているときには（図３）、回転部材２０４とともに表示ユニット３が回転しないように、テーブル２に回転部材２０４の回転は任意の回転阻止部材（不図示）によって阻止されている。
【００７８】
（表示ユニット３の引き出し動作の流れ）
まず、テーブル２の天板２ａの上面２０２にある上面部材２０５を開けて、図４の凹部２９に相当する場所に形成された、天板２ａを貫通する開口部（図５には示されていない）を露出させる。
【００７９】
そして、回転阻止部材によるロックを解除することによって、図５の（ａ）に示すように、回転部材２０４の回転に伴って表示ユニット３が回転する。すなわち、回転部材２０４は、表示ユニット３が天板２ａの下面側へ突出するように表示ユニット３を回転させることにより、表示ユニット３を、天板２ａを通過可能な位置に配置する。
【００８０】
その結果、図５の（ａ）に示されたように、回転した表示ユニット３の一部は、天板２ａを貫通する開口部から突出し、ユーザによってこの突出部分を引き上げられることにより、表示ユニット３のタッチパネル３５をユーザ側に向けた状態で、表示ユニット３を天板２ａ上に立てた状態にすることができる（図５の（ｂ））。つまり、ディスプレイ内蔵型テーブル１には、表示ユニット着脱部２８（収納部）から表示ユニット３を取り出すための開口部が天板２ａの上面２０２に形成されており、回転部材２０４は、該開口部を表示ユニット３が通過可能な位置まで表示ユニット３を回転させる。
【００８１】
さらに表示ユニット３を上方向に引き上げると、図５の（ｃ）に示すように、表示ユニット３を回転部材２０４から完全に引き抜いて、完全にテーブル２と接点を持たない状態とすることもできる。
【００８２】
また、回転部材２０４の回転および表示ユニット３の押し上げ動作を自動的に行う駆動機構をディスプレイ内蔵型テーブル１に設けてもよい。
【００８３】
テーブル２と表示ユニット３とは、それぞれ無線通信装置を備え、双方向の情報通信を行うことができる。そのため、表示ユニット３がテーブル２から取り出された状態においても、表示ユニット３は、その表示画面に表示する画像を示す画像データ（映像データ）をテーブル２から受信することができる。
【００８４】
よって、本発明のディスプレイ内蔵型テーブル１は表示ユニット３のタッチパネル３５をユーザが視認可能な位置に表示ユニット３を自在に配置することができるため、作業面であるテーブル２の天板２ａの上面２０２を広く確保することができる。
【００８５】
（実施例３）
図６は、ディスプレイ内蔵型テーブルのさらに別の実施形態における、表示ユニット３の回転と、押し上げの動作とを説明するための図である。
【００８６】
図６では、表示ユニット３の動作を説明するために、テーブル２の天板２ａを図３に示したＣＤ面で切断した断面を矢印方向に見たときの断面を示している。
【００８７】
テーブル２の天板２ａの上面２０２と反対の側には、上下２本で１対をなすガイドレール２０３が、表示ユニット３の左右両側に１対ずつ備えられている。上下のガイドレール２０３は互いの距離がテーブル２の奥側（図６において右側）に向かうほど、徐々に広くなっている。すなわち、天板２ａの内部には、互いに平行ではない一対のガイドレール２０３が形成されている。
【００８８】
さらに、テーブル２は、この一対のガイドレール２０３のそれぞれに沿って移動することにより回転する回転部材２０６を備えている。
【００８９】
回転部材２０６は、上側のガイドレール２０３と下側のガイドレール２０３との各々と接続された接続部材（図６中の黒丸）を有している。この接続部材によって回転部材２０６は、ガイドレール２０３に沿って移動することができる。
【００９０】
これらの接続部材がガイドレール２０３と接しながらテーブル２の手前側と奥側との間（図６において左側と右側との間）をスライドすると、回転部材２０４は、上下のガイドレール２０３の間隔の変化に伴って回転する。
【００９１】
すなわち、１対のガイドレール２０３は、図６に示すように右端に向かって間隔が広がっているため、回転部材２０４はガイドレール２０３の上記間隔の変化に基づいて、回転動作を行うことになる。そして、表示ユニット着脱部２８（収納部）から表示ユニット３を取り出すための開口部が天板２ａの上面２０２に形成されており、回転部材２０６は、該開口部を表示ユニット３が通過可能な位置まで表示ユニット３を回転させる。
【００９２】
図６に示すように、表示ユニット着脱部２８に表示ユニット３が、天板２ａの上面２０２と平行に装着されているときには、表示ユニット３は、上下のガイドレール２０３の距離が最も狭い場所に位置する回転部材２０６によって保持されている。
【００９３】
なお、表示ユニット３は回転部材２０６から容易に脱離しないように保持されているが、不可逆な固定ではなく着脱は可能である。
【００９４】
（表示ユニット３の引き出し動作の流れ）
まず、テーブル２の天板２ａの上面２０２にある上面部材２０５を開けて、図４における凹部２９に相当する場所に形成された、天板２ａを貫通する開口部を露出させる（図６には示されていない）。
【００９５】
次に、ユーザによって表示ユニット３がテーブル２の奥側（図６において右側）に押されると、表示ユニット３を保持している回転部材２０６は、ガイドレール２０３に沿って奥に移動する。回転部材２０６が移動と共に回転するため、表示ユニット３も最初の水平の状態から徐々に回転しながら立ち上がるような動作を伴って移動し、天板２ａを貫通する開口部を通過してテーブル２の天板２ａの上面２０２に迫り上がる（図６）。
【００９６】
表示ユニット３を上方向に引き上げると、図５（ｃ）に示した場合と同様に、表示ユニット３が回転部材２０６から完全に引き抜かれて、完全にテーブル２と接点を持たない状態となる。
【００９７】
テーブル２と表示ユニット３とは、それぞれ無線通信装置を備え、双方向の情報通信を行うことができる。そのため、表示ユニット３がテーブル２から取り出された状態においても、表示ユニット３は、その表示画面に表示する画像を示す画像データ（映像データ）をテーブル２から受信することができる。
【００９８】
よって、本発明のディスプレイ内蔵型テーブル１は表示ユニット３のタッチパネル３５をユーザが視認可能な位置に表示ユニット３を自在に配置することができるため、作業面であるテーブル２の天板２ａの上面２０２を広く確保することができる。
【００９９】
〔まとめ〕
本発明の一態様に係るテーブル（ディスプレイ内蔵型テーブル１）は、テーブル本体（テーブル２）と、上記テーブル本体に対して着脱可能な表示ユニットとを備えることを特徴としている。
【０１００】
上記の構成によれば、表示ユニットの表示画面（タッチパネル３５）をユーザが視認可能な位置に当該表示ユニットを配置することができ、テーブル（ディスプレイ内蔵型テーブル１）としての作業面（上面２０２）の広さを確保することができる。
【０１０１】
また、本発明の一態様に係るテーブルは、物体を載置可能な上面を有する載置部（天板２ａ、上面２０２）と、上記載置部の内部に形成され、上記表示ユニットの表示画面を視認可能な状態で当該表示ユニットを収納できる収納部（表示ユニット着脱部２８）とを備えることが好ましい。
【０１０２】
上記の構成によれば、載置部の内部に表示ユニットを収納した状態で、当該表示ユニット３表示画面を見ることができる。それゆえ、表示画面を見ない場合には、載置部の上面を作業面として利用することができるとともに、表示画面を見る場合には、表示ユニットをわざわざ収納部から取り出すことなく当該表示画面を見ることができ、利便性を向上させることができる。
【０１０３】
また、本発明の一態様に係るテーブルは、上記上面（上面２０２）に形成され、上記表示ユニットを挿入可能な凹部をさらに備えることが好ましい。
【０１０４】
上記の構成によれば、載置部の上面に、表示ユニットを挿入可能な凹部が形成されている。この凹部に、収納部から取り出した表示ユニットを挿入することで、載置部に表示ユニットを立てることができる。
【０１０５】
また、本発明の一態様に係るテーブルは、上記上面の一部を構成する上面部材をさらに備え、上記上面部材は、上記凹部に上記表示ユニットが挿入されていない状態において、当該凹部を塞ぐことが可能であり、上記凹部に挿入された表示ユニットを支えることができることが好ましい。
【０１０６】
上記の構成によれば、上面部材は、載置部の上面の一部を構成し、載置部の上面に形成された凹部に表示ユニットが挿入されていない状態では、上記凹部を塞ぎ、挿入されている状態において、表示ユニットを支えることができる。それゆえ、表示ユニットを載置部の上面に立てない場合には、平坦な作業面を載置部の上面において実現することができる。また、表示ユニットを立てる場合には、上面部材を支持部材として利用でき、表示ユニットを支持する部材を別途設ける必要がなくなり、部品数を低減できる。
【０１０７】
また、本発明の一態様に係るテーブルでは、上記収納部から上記表示ユニットを取り出すための開口部が上記載置部の上面に形成されており、上記開口部を上記表示ユニットが通過可能な位置まで当該表示ユニットを回転させる回転部材をさらに備えることが好ましい。
【０１０８】
上記の構成によれば、回転部材によって表示ユニットを回転させ、載置部の上面に形成された開口部から当該表示ユニットを取り出すことができる。それゆえ、表示ユニットを載置部の上面に対して平行に引き出す構成よりも、容易に表示ユニットを取り出すことができる。
【０１０９】
また、本発明の一態様に係るテーブルでは、上記回転部材は、上記表示ユニットが上記載置部の下面側へ突出するように当該表示ユニットを回転させることにより、当該表示ユニットを上記通過可能な位置に配置することが好ましい。
【０１１０】
上記の構成によれば、回転部材によって載置部の下面側へ突出するように表示ユニットを回転させ、載置部の上面に形成された開口部から当該表示ユニットを取り出すことができる。それゆえ、表示ユニットを載置部の上面に対して平行に引き出す構成よりも、容易に表示ユニットを取り出すことができる。
【０１１１】
また、本発明の一態様に係るテーブルにおいて、上記載置部の内部に、互いに平行ではない一対のガイドレールが形成されており、上記回転部材は、上記一対のガイドレールのそれぞれに沿って移動することにより回転することが好ましい。
【０１１２】
上記の構成によれば、回転部材は、載置部の内部に形成された一対のガイドレールのそれぞれに沿って移動することにより回転し、載置部の上面に形成された開口部から当該表示ユニットを取り出すことが可能な配置まで変位する。それゆえ、表示ユニットを載置部の内部において回転させ、載置部の上面に形成された開口部から当該表示ユニットを取り出すことができ、容易に表示ユニットを取り出すことができる。
【０１１３】
なお、一対のガイドレールは、少なくとも１セットあれば理論的には回転部材（および表示ユニット３）を回転させることができるが、安定的に回転させるためには、表示ユニットの対向する辺に１セットずつ設けることが好ましい。
【０１１４】
また、本発明の一態様に係るテーブルにおいて、上記表示ユニットおよび上記テーブル本体は、それぞれ通信装置（受信部２１、送信部２２、送信部３１、受信部３２）を備え、通信可能に接続されていることが好ましい。
【０１１５】
上記の構成によれば、通信装置により表示ユニットとテーブル本体とが通信を行うことができ、表示ユニットをテーブル本体から取り外した状態でも表示ユニットをテーブル本体の制御下で動作させることが可能となる。
【０１１６】
また、本発明の一態様に係るテーブルにおいて、上記表示ユニットは、上記テーブル本体から電力の供給を受けるための接続部（テーブル接続部３６）を備えることが好ましい。
【０１１７】
上記の構成により、表示ユニットを長時間動作させることが可能となる。
【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１１９】
〔ソフトウェアによる実現例〕
最後に、ディスプレイ内蔵型テーブル１の各ブロック、特にテーブル２の表示ユニット制御部２５１を含む主制御部２５１、および表示ユニット３のタッチパネル制御部３３は、集積回路（ＩＣチップ）上に形成された論理回路によってハードウェア的に実現してもよいし、ＣＰＵ（Central Processing Unit）を用いてソフトウェア的に実現してもよい。
【０１２０】
後者の場合、ディスプレイ内蔵型テーブル１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるディスプレイ内蔵型テーブル１の制御プログラムのプログラムコード（実行形式プログラム、中間コードプログラム、ソースプログラム）をコンピュータで読み取り可能に記録した記録媒体を、上記ディスプレイ内蔵型テーブル１に供給し、そのコンピュータ（またはＣＰＵやＭＰＵ）が記録媒体に記録されているプログラムコードを読み出し実行することによっても、達成可能である。
【０１２１】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１２２】
また、ディスプレイ内蔵型テーブル１のテーブル２と表示ユニット３とを通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２３】
本発明は、表示装置を備えたテーブルに利用することができる。
【符号の説明】
【０１２４】
１      ディスプレイ内臓型テーブル（テーブル）
２      テーブル
３      表示ユニット
２ａ    天板（載置部）
２１    受信部（通信装置）
２２    送信部（通信装置）
２８    表示ユニット着脱部（収納部）
２９    凹部
３１    送信部（通信装置）
３２    受信部（通信装置）
３５    タッチパネル（表示画面）
３６    テーブル接続部（接続部）
２０２  上面（載置部）
２０３  ガイドレール
２０４  回転部材
２０５  上面部材
２０６  回転部材
３５１  表示部
３５２  操作入力部
【図１】
2015198673.tif 000003
【図２】
2015198673.tif 000004
【図３】
2015198673.tif 000005
【図４】
2015198673.tif 000006
【図５】
2015198673.tif 000007
【図６】
2015198673.tif 000008